(57)【要約】  吸汗シート（１０）よりも着用者の肌から遠い側に、疎水シート（１１）が、吸収体（２３）から伸縮シート（３）の外側延出部（３Ｅ）にかけて該吸収体（２３）の縦方向端（２３ａ）を跨ぐように配されている。吸汗シート（１０）の縦方向内方端（１０ｂ）は、疎水シート（１１）の縦方向内方端（１１ｂ）よりも縦方向（Ｘ）の外方に位置し、疎水シート（１１）は、平面視において吸汗シート（１０）と部分的に重なると共に、縦方向内方端（１０ｂ）から縦方向（Ｘ）の内方に延出する内側延出部（１１Ｅ）を有する。吸収性物品（１）において、吸汗シート（１０）と縦方向（Ｘ）において同位置にある領域Ａ、内側延出部（１１Ｅ）と縦方向（Ｘ）において同位置にある領域Ｂに関し、横方向（Ｙ）の伸長応力の相互関係が、領域Ａ＜領域Ｂである。
2018116478.tif 000002
【特許請求の範囲】
【請求項１】
着用者の腹側から股間部を介して背側に延びる方向に相当する縦方向とこれに直交する横方向とを有し、液保持性の吸収体と、該吸収体よりも着用者の肌から遠い側に配され、横方向に伸縮性を有する伸縮シートとを具備し、着用時に着用者の肌と接触し得る部位に、汗を吸収可能な親水領域を有する吸汗シートが配された吸収性物品であって、
前記伸縮シートは、前記吸収体の縦方向端から縦方向外方に延出する外側延出部を有し、前記吸汗シートよりも着用者の肌から遠い側に、疎水シートが、該吸収体から該伸縮シートの外側延出部にかけて該吸収体の縦方向端を跨ぐように配されており、
前記吸汗シートの縦方向内方端は、前記疎水シートの縦方向内方端よりも縦方向外方に位置しており、該疎水シートは、平面視において前記吸汗シートと部分的に重なると共に、該吸汗シートの縦方向内方端から縦方向内方に延出する内側延出部を有し、
前記吸収性物品において、前記吸汗シートと縦方向において同位置にある領域を領域Ａ、前記疎水シートの内側延出部と縦方向において同位置にある領域を領域Ｂとした場合、該領域Ｂは該領域Ａに比して横方向の伸長応力が大きい吸収性物品。
【請求項２】
前記吸汗シートは、前記疎水シートの縦方向外方端から縦方向外方に延出する外側延出部を有している請求項１に記載の吸収性物品。
【請求項３】
前記吸汗シートの外側延出部の縦方向長さが３ｍｍ以上５０ｍｍ以下である請求項２に記載の吸収性物品。
【請求項４】
前記吸汗シートは、該吸汗シートの外側延出部にて前記伸縮シートに接合されていると共に、該吸汗シートの外側延出部寄りの部分にて前記疎水シートに接合されている請求項２又は３に記載の吸収性物品。
【請求項５】
前記領域Ａのうち、前記吸汗シートの外側延出部と縦方向において同位置にある領域を領域Ａ１、該領域Ａ１以外の領域を領域Ａ２とした場合、前記領域Ｂは該領域Ａ１に比して横方向の伸長応力が大きい請求項２〜４の何れか１項に記載の吸収性物品。
【請求項６】
横方向の伸長応力は、前記領域Ｂ、前記領域Ａ２、前記領域Ａ１の順で大きい請求項２〜５の何れか１項に記載の吸収性物品。
【請求項７】
前記領域Ｂの横方向の伸長応力と前記領域Ａ１の横方向の伸長応力との比率が、前記領域Ｂの伸長応力／前記領域Ａ１の伸長応力として、１．０６以上２．２以下である請求項５又は６に記載の吸収性物品。
【請求項８】
前記領域Ａ１の横方向の伸長応力が前記領域Ｂの伸長応力よりも小さく、且つ、０．００５Ｎ／ｍｍ以上０．０５Ｎ／ｍｍ以下である請求項５〜７の何れか１項に記載の吸収性物品。
【請求項９】
前記領域Ｂの横方向の伸長応力と前記領域Ａ２の横方向の伸長応力との比率が、前記領域Ｂの伸長応力／前記領域Ａ２の伸長応力として、１．０２以上１．８以下である請求項５〜８の何れか１項に記載の吸収性物品。
【請求項１０】
前記領域Ａ２の横方向の伸長応力と前記領域Ａ１の横方向の伸長応力との比率が、前記領域Ａ２の伸長応力／前記領域Ａ１の伸長応力として、１．０４以上２以下である請求項５〜９の何れか１項に記載の吸収性物品。
【請求項１１】
前記吸収体は前記伸縮シートの横方向中央部と重なり、該伸縮シートの横方向中央部は、横方向両側部に比して伸縮性が低い請求項１〜１０の何れか１項に記載の吸収性物品。
【請求項１２】
前記吸汗シートは、親水性繊維及び疎水性繊維を含んで構成されている請求項１〜１１の何れか１項に記載の吸収性物品。
【請求項１３】
前記吸汗シートは、着用者の肌に最も近い位置に配され、疎水性繊維を含んで構成された肌側疎水層と、該肌側疎水層の非肌対向面側に配され、親水性繊維を含んで構成された非肌側親水層とを含み、該肌側疎水層と該非肌側親水層とが複数個の融着部で接合されている請求項１〜１２の何れか１項に記載の吸収性物品。
【請求項１４】
前記吸汗シートは、該吸汗シートの肌対向面を形成する肌側疎水層と、該肌側疎水層の非肌対向面側に位置する非肌側親水層とを有し、両層どうしは、両層の面方向において分散配置された複数の接合部で接合されており、
前記接合部の周囲部では、前記非肌側親水層を構成する親水性繊維どうしの隙間に前記肌側疎水層を構成する疎水性繊維が入り込み、該肌側疎水層を構成する疎水性繊維どうしの隙間に該非肌側親水層を構成する親水性繊維が入り込んでおり、該非肌側親水層を構成する親水性繊維が該肌側疎水層の肌対向面に達している請求項１〜１２の何れか１項に記載の吸収性物品。
【請求項１５】
前記吸汗シートは、着用者の肌に最も近い位置に配され、疎水性繊維を含んで構成された肌側疎水層を有し、
前記肌側疎水層の肌対向面に窪み部が形成され、該窪み部内の頂部に融着部が存在し、該融着部は、該肌側疎水層の構成繊維が溶融して該構成繊維どうしが隙間なく融着している部分を含む請求項１〜１４の何れか１項に記載の吸収性物品。
【請求項１６】
前記吸汗シートは、着用者の肌に最も近い位置に配され、疎水性繊維を含んで構成された肌側疎水層を有し、
前記肌側疎水層の肌対向面に窪み部が形成され、該窪み部内に該肌側疎水層を厚み方向に貫通する開孔が形成されている請求項１〜１４の何れか１項に記載の吸収性物品。
【請求項１７】
前記吸汗シートの縦方向長さが、２０ｍｍ以上１００ｍｍ以下である請求項１〜１６の何れか１項に記載の吸収性物品。
【請求項１８】
前記疎水シートの縦方向長さが、２０ｍｍ以上１００ｍｍ以下である請求項１〜１７の何れか１項に記載の吸収性物品。
【請求項１９】
前記吸汗シートが前記吸収性物品の横方向中央部に配され、該吸汗シートの横方向長さが、該吸収性物品の同方向の全長に対して、４０％以上である請求項１〜１８の何れか１項に記載の吸収性物品。
【請求項２０】
前記疎水シートが前記吸収体と前記吸汗シートとの間に該吸収体の縦方向端に沿って配され、該疎水シートの横方向長さが、該吸収体の同方向の全長に対して、１１０％以上３００％以下である請求項１〜１９の何れか１項に記載の吸収性物品。
【請求項２１】
前記疎水シートの内側延出部の縦方向長さが、３ｍｍ以上２５ｍｍ以下である請求項１〜２０の何れか１項に記載の吸収性物品。
【請求項２２】
前記吸汗シートの坪量が、５ｇ／ｍ2以上５０ｇ／ｍ2以下である請求項１〜２１の何れか１項に記載の吸収性物品。
【請求項２３】
前記吸汗シートの厚みが、０．０５ｍｍ以上１ｍｍ以下である請求項１〜２２の何れか１項に記載の吸収性物品。
【請求項２４】
前記疎水シートの坪量が、５ｇ／ｍ2以上３０ｇ／ｍ2以下である請求項１〜２３の何れか１項に記載の吸収性物品。
【請求項２５】
前記疎水シートの厚みが、０．０５ｍｍ以上０．８ｍｍ以下である請求項１〜２４の何れか１項に記載の吸収性物品。
【請求項２６】
前記領域Ｂの横方向の伸長応力と前記領域Ａの横方向の伸長応力との比率が、前記領域Ｂの伸長応力／前記領域Ａの伸長応力として、１．０４以上２以下である請求項１〜２５の何れか１項に記載の吸収性物品。
【請求項２７】
前記領域Ａの横方向の伸長応力が前記領域Ｂの伸長応力よりも小さく、且つ、０．００６Ｎ／ｍｍ以上０．０５５Ｎ／ｍｍ以下である請求項１〜２６の何れか１項に記載の吸収性物品。
【請求項２８】
前記領域Ｂの横方向の伸長応力が前記領域Ａの伸長応力よりも大きく、且つ、０．００８Ｎ／ｍｍ以上０．０７Ｎ／ｍｍ以下である請求項１〜２７の何れか１項に記載の吸収性物品。
【請求項２９】
前記吸汗シートが不織布である請求項１〜２８の何れか１項に記載の吸収性物品。
【請求項３０】
前記吸汗シートにおいて、前記親水領域が親水性繊維から構成され、該親水領域以外の領域が疎水性繊維から構成されている請求項１〜２９の何れか１項に記載の吸収性物品。
【請求項３１】
前記伸縮シートは、横方向に伸長状態で固定された弾性部材を具備する請求項１〜３０の何れか１項に記載の吸収性物品。
【請求項３２】
前記吸収性物品は、着用者の股間部に配される股下部と、該股下部の前後から縦方向に延出する腹側部及び背側部を有し、
前記吸汗シートは、少なくとも前記背側部に配されている請求項１〜３１の何れか１項に記載の吸収性物品。
【請求項３３】
前記吸汗シートは、前記腹側部及び前記背側部それぞれの肌対向面側において、該腹側部又は該背側部を縦方向に二分する仮想直線よりも縦方向外方に配されている請求項３２に記載の吸収性物品。
【請求項３４】
前記吸汗シートは、平面視において一方向に長い形状をなし、その長手方向を横方向に一致させて、前記腹側部及び前記背側部それぞれの横方向の全長にわたって配されている請求項３２又は３３に記載の吸収性物品。
【請求項３５】
前記疎水シートは、前記吸汗シートと同じ平面視形状をなしており、平面視において一方向に長い形状をなし、その長手方向を横方向に一致させて、前記腹側部及び前記背側部それぞれの横方向の全長にわたって配されている請求項３２〜３４の何れか１項に記載の吸収性物品。
【発明の詳細な説明】
【技術分野】
【０００１】
本発明は、吸汗機能を有する吸汗シートを備えた吸収性物品に関する。
【背景技術】
【０００２】
従来、使い捨ておむつなどの吸収性物品において、汗疹などの肌トラブルを低減する目的で、着用時に着用者の肌と接触し得る部位に、汗を吸収可能な親水性素材を含む吸汗シートを配置することが行われている。【０００３】
特許文献１には、パンツ型使い捨ておむつにおいて、吸収体の端縁から外方へ延出する背側エンドフラップに、吸汗シートとして、吸水性の高い材料である長繊維を有する親水性ウエブを配置することが記載されている。前記親水性ウエブは、着用者の肌と当接可能に配され、前記背側エンドフラップは、該親水性ウエブよりも着用者の肌から遠い側に配されている。前記背側エンドフラップは２枚のシート材から構成され、両シート材間には、おむつの横方向に延びる弾性部材が縦方向に所定間隔をおいて伸長状態で配されており、斯かる構成により、該背側エンドフラップは横方向に伸縮性を有している。特許文献１によれば、着用者の腰周りから発散された汗は、前記親水性ウエブによって素早く吸収・拡散されるため、着用者の腰周りは低湿度のドライな状態が保たれ、肌トラブルが発生し難いとされている。尚、縦方向は、吸収性物品の着用者の腹側から股間部を介して背側に延びる方向に相当する方向、横方向は、縦方向に直交する方向である。【０００４】
特許文献２には、使い捨ておむつにおける前後胴周り域の内面側を覆う疎水シートに吸汗シートを取り付けることが記載されている。前記疎水シートは、前記吸汗シートに比して平面視における寸法が大きく、該吸汗シートの縦方向内方端は、該疎水シートの縦方向内方端よりも縦方向外方に位置し、該疎水シートは、該吸汗シートの縦方向内方端から縦方向内方に延出する内側延出部を有している。特許文献２に記載の使い捨ておむつは、その着用中に前記疎水シートの非接合領域がめくれることがあっても、そのことによって吸汗シートがめくれて吸汗シートとしての機能を損なうということがないように構成されたものである。
【先行技術文献】
【特許文献】
【０００５】
【特許文献１】特開２００６−１４１５４９号公報
【特許文献２】特開２００７−２５９８７４号公報
【発明の概要】
【０００６】
本発明は、着用者の腹側から股間部を介して背側に延びる方向に相当する縦方向とこれに直交する横方向とを有し、液保持性の吸収体と、該吸収体よりも着用者の肌から遠い側に配され、横方向に伸縮性を有する伸縮シートとを具備し、着用時に着用者の肌と接触し得る部位に、汗を吸収可能な親水領域を有する吸汗シートが配された吸収性物品である。前記伸縮シートは、前記吸収体の縦方向端から縦方向外方に延出する外側延出部を有し、前記吸汗シートよりも着用者の肌から遠い側に、疎水シートが、該吸収体から該伸縮シートの外側延出部にかけて該吸収体の縦方向端を跨ぐように配されている。前記吸汗シートの縦方向内方端は、前記疎水シートの縦方向内方端よりも縦方向外方に位置しており、該疎水シートは、平面視において前記吸汗シートと部分的に重なると共に、該吸汗シートの縦方向内方端から縦方向内方に延出する内側延出部を有している。前記吸収性物品において、前記吸汗シートと縦方向において同位置にある領域を領域Ａ、前記疎水シートの内側延出部と縦方向において同位置にある領域を領域Ｂとした場合、該領域Ｂは該領域Ａに比して横方向の伸長応力が大きい。
【図面の簡単な説明】
【０００７】
【図１】図１は、吸収性物品の一実施形態であるパンツ型使い捨ておむつを模式的に示す斜視図である。
【図２】図２は、図１に示すおむつの展開且つ伸長状態における肌対向面側（内面側）を模式的に示す展開平面図である。
【図３】図３は、図２のＩ−Ｉ線断面（横方向に沿う断面）を模式的に示す断面図である。
【図４】図４は、図２のＩＩ−ＩＩ線断面（縦方向に沿う断面）を模式的に示す断面図である。
【図５】図５は、図４に示すおむつの縦方向の一端部を拡大して模式的に示す断面図である。
【図６】図６は、本発明の吸収性物品の他の実施形態であるパンツ型使い捨ておむつの図２相当図である。
【発明の詳細な説明】
【０００８】
吸汗シートを具備する吸収性物品において、吸汗シートが期待通りに汗を吸収するためには、着用者の肌に吸汗シートが接触する必要があるが、吸汗シートが肌に強く密着すると、肌にダメージを与えるおそれがある。また特に、吸汗シートが吸収体の端部を跨ぐように配されている場合において、該吸汗シートが配されている領域の収縮力により該吸汗シートが肌に強く接触すると、該吸収体に吸収されている尿などの体液が、該吸収体の端部から流出して該吸汗シートを伝って吸収性物品の外部に漏れ出すおそれがある。
【０００９】
従って本発明の課題は、吸汗シートが肌に優しく当接しつつ汗を素早く吸収し、且つ吸収体に吸収された体液が吸汗シートを伝って外部に漏れ出す不都合が発生し難い吸収性物品を提供することに関する。
【００１０】
以下本発明を、その好ましい実施形態に基づき図面を参照しながら説明する。図１〜図４には、本発明の吸収性物品の一実施形態であるパンツ型使い捨ておむつ１が示されている。おむつ１は、図１〜図４に示すように、着用者の腹側から股間部を介して背側に延びる方向に相当する縦方向Ｘとこれに直交する横方向Ｙとを有すると共に、股下部Ｍ並びに該股下部Ｍの前後から縦方向Ｘに延出する腹側部Ｆ及び背側部Ｒを有し、液保持性の吸収体２３を股下部Ｍに具備する。股下部Ｍは、おむつ１の着用状態において着用者の股間部に配される部位であり、腹側部Ｆは、おむつ１の着用状態において股下部Ｍよりも着用者の腹側即ち縦方向Ｘの前側に配される部位であり、背側部Ｒは、おむつ１の着用状態において股下部Ｍよりも着用者の背側即ち縦方向Ｘの後側に配される部位である。
【００１１】
おむつ１は、吸収体２３を含む吸収性本体２を横方向Ｙの中央部に備えると共に、該吸収性本体２の非肌対向面側即ち該吸収性本体２よりも着用者の身体から遠い側に配された外装体３を備え、腹側部Ｆ及び背側部Ｒそれぞれにおける外装体３の縦方向Ｘに沿う両側縁部ＦＳ，ＲＳどうしが、接着剤、ヒートシール、超音波シール等の公知の接合手段によって互いに接合されて、図１に示すように、一対のサイドシール部Ｓ，Ｓ、並びに着用者の胴が通されるウエスト開口部ＷＨ、及び着用者の下肢が通される一対のレッグ開口部ＬＨ，ＬＨが形成されている。
【００１２】
吸収性本体２は、図２に示す如きおむつ１の展開且つ伸長状態において、平面視長方形形状をなし、腹側部Ｆから背側部Ｒにわたって縦方向Ｘに延在しており、その長手方向を展開且つ伸長状態におけるおむつ１の縦方向Ｘに一致させて、外装体３の横方向Ｙの中央部に配置され、接着剤により外装体３に接合されている。おむつ１の「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。
【００１３】
吸収性本体２は、図３に示すように、肌対向面を形成する液透過性の表面シート２１、非肌対向面を形成する液不透過性若しくは液難透過性又は撥水性の裏面シート２２、及び両シート２１，２２間に介在配置された液保持性の吸収体２３を具備しており、これらが接着剤等の公知の接合手段により一体化されて構成されている。吸収性本体２の縦方向Ｘの全長は吸収体２３のそれと同じであり、縦方向両端２３ａ，２３ａは、図２に示すように、吸収性本体２の縦方向端と同位置にある。
【００１４】
本明細書において、「肌対向面」は、吸収性物品又はその構成部材（例えば表面シート）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側に向けられる面、即ち相対的に着用者の肌から遠い側である。尚、ここでいう「着用時」は、通常の適正な着用位置、即ち当該吸収性物品の正しい着用位置が維持された状態を意味する。
【００１５】
表面シート２１、裏面シート２２並びに吸収体２３としては、それぞれ、この種の吸収性物品に従来用いられている各種のものを特に制限なく用いることができる。例えば、表面シート２１としては各種の不織布や開孔フィルム等を用いることができ、裏面シート２２としては樹脂フィルムや、樹脂フィルムと不織布等とのラミネート等を用いることができる。吸収体２３は、典型的には、吸収性材料を含むコア形成材料の堆積物からなる吸収性コアを含んで構成され、該吸収性コアの外面は、紙、不織布等の液透過性シートからなるコアラップシートで被覆されていても良い。吸収性材料としては、この種の吸収性コアの形成材料として通常用いられるものを特に制限なく用いることができ、例えば、木材パルプ、親水化剤により処理された合繊繊維等の親水性繊維や吸水性ポリマー粒子が挙げられる。
【００１６】
図２及び図３に示すように、吸収性本体２の肌対向面における縦方向Ｘに沿う両側部には、液抵抗性又は撥水性で且つ通気性の防漏カフ形成用シート２５から構成された一対の防漏カフ２４，２４が設けられている。各防漏カフ２４の自由端部の近傍には糸状の防漏カフ形成用弾性部材２６が１本以上縦方向Ｘに伸長状態で配されている。防漏カフ２４は、伸長状態で配された弾性部材２６がおむつ１の着用時に収縮することによって少なくとも股下部Ｍで起立し、それによって尿等の排泄液の横方向Ｙの外方への流出を阻止する。
【００１７】
外装体３は、図１、図２及び図４に示すように、着用時に着用者の腹側に配される腹側シート部材３Ｆと背側に配される背側シート部材３Ｒとに分割されている。即ち、おむつ１は、着用者の腹側に配される腹側シート部材３Ｆと、着用者の背側に配される背側シート部材３Ｒと、両シート部材３Ｆ，３Ｒに架け渡して固定された縦長の吸収性本体２とを備えている。
【００１８】
腹側シート部材３Ｆ及び背側シート部材３Ｒは、それぞれ、その非肌対向面即ちおむつ１の外面を形成する外層シート３１と、該外層シート３１の内面側に配された内層シート３２と、両シート３１，３２間に接着剤（図示せず）により固定された複数の糸状又は帯状の胴周り弾性部材３３とを含んで構成されており、図２に示す如きおむつ１の展開状態において、横方向Ｙに長い矩形形状をなしている。腹側シート部材３Ｆ及び背側シート部材３Ｒそれぞれを構成する外層シート３１と内層シート３２とは、平面視において互いに同形状且つ同寸法である。両シート３１，３２間は、所定部位において接着剤（図示せず）によって接合されている。腹側シート部材３Ｆ及び背側シート部材３Ｒにおいては、それぞれ図２に示すように、複数の胴周り弾性部材３３は、横方向Ｙに伸長状態とされて縦方向Ｘに所定間隔を置いて配され、両シート３１，３２に対してホットメルト接着剤などの接合手段によって固定されている。このように、胴周り弾性部材３３がその弾性伸縮性が発現される状態で配されていることにより、ウエスト開口部ＷＨの開口縁部には、その全周にわたって実質的に連続した環状のウエストギャザーが形成される。
【００１９】
胴周り弾性部材３３は、腹側シート部材３Ｆ及び背側シート部材３Ｒそれぞれにおける吸収体２３の配置部位、より具体的には吸収性本体２の配置部位において、切断、加熱などの伸縮阻害処理が施されて、伸縮性が低下されている。つまり、おむつ１においては、図２に示す如き平面視において、吸収体２３（吸収性本体２）が外装体３（腹側シート部材３Ｆ、背側シート部材３Ｒ）の横方向中央部３Ｍと重なり、その外装体３の横方向中央部３Ｍは、該横方向中央部３Ｍの両外方に位置し、吸収体２３（吸収性本体２）とは重なっていない外装体３の横方向両側部３Ｓ，３Ｓに比して、伸縮性が低い。外装体３の横方向中央部３Ｍは、伸縮性を全く有しないか、あるいは伸縮阻害処理が施された胴周り弾性部材３３に残存する伸縮性により、横方向Ｙに若干の伸縮性を有する場合があり得る。このように、外装体３における吸収性本体２との重なり部分である横方向中央部３Ｍに低伸縮領域が形成されていることにより、吸収体２３を含む吸収性本体２に縦皺を生じさせることなく吸収性本体２の縦方向Ｘの端部を着用者の身体に沿わせることが可能となり、それによって、漏れが効果的に防止されると共に、吸収性本体２に生じた皺の頂部が肌に当たることに起因する跡付き等の不都合が効果的に防止される。
【００２０】
外層シート３１と内層シート３２とは、互いに同種のシートでも良く、あるいは異種のシートでも良く、後者の例として、伸縮性が互いに異なる形態が挙げられる。具体的には例えば、外層シート３１としては、横方向Ｙに伸縮性を有する伸縮シートを用い、内層シート３２としては、伸縮性を有していない非伸縮シートを用いることができる。外装体３として使用可能な伸縮シートとしては、例えば、弾性繊維層の両面又は片面に伸長可能な繊維層が一体化されている伸縮シートが挙げられ、弾性繊維層と伸長可能な繊維層との一体化の方法としては、例えば、両者を積層して水流交絡する方法、エアスルー等により繊維を交絡させる方法、ヒートエンボス、接着剤、超音波等によって接合させる方法が挙げられる。また、外装体３として使用可能な非伸縮シートとしては、例えば、各種製法による不織布が挙げられ、具体的にはスパンボンド不織布、エアスルー不織布、ニードルパンチ不織布を例示できる。
【００２１】
前記の通り、本実施形態においては、外装体３（腹側シート部材３Ｆ、背側シート部材３Ｒ）は、吸収体２３よりもおむつ１の着用者の肌から遠い側に配されている。また外装体３は、横方向Ｙに伸長状態で固定された胴周り弾性部材３３を具備することに起因して、横方向Ｙに伸縮性を有しており、同方向に伸縮性を有する伸縮シートである。伸縮シートである外装体３は、図２に示すように、腹側部Ｆ及び背側部Ｒそれぞれにおいて、吸収体２３の縦方向端２３ａから縦方向Ｘの外方に延出する外側延出部３Ｅを有している。
【００２２】
本明細書において「伸縮性」とは、所定方向に伸長可能であり且つ伸長を解除すると収縮する性質を意味する。シートが、ある方向に実質的に伸縮性を有しない（非伸縮性である）とは、該シートに対して当該ある方向に引っ張る力を加えても、該シートが、殆ど伸びないことを意味する。例えば、長さ１５×幅５ｃｍのサンプルに対して、該サンプルをテンシロン等の材料引っ張り試験機で長手方向に引っ張って、該サンプルが破断するときの破断伸度が１０％以下である場合、そのサンプルは、長手方向に実質的に伸縮性を有しない。尚、破断伸度とは（破断時の該サンプル長さ−該サンプルの元の長さ）／（該サンプルの元の長さ）×１００で算出することができる。
【００２３】
おむつ１における着用時に着用者の肌と接触し得る部位には、汗を吸収可能な親水領域を有する吸汗シート１０が配されている。吸汗シート１０は、主として、着用者の腰周りの汗の吸収を目的とするもので、おむつ１においては図１、図２及び図４に示すように、腹側部Ｆ（腹側シート部材３Ｆ）及び背側部Ｒ（背側シート部材３Ｒ）それぞれの肌対向面側において、腹側部Ｆ又は背側部Ｒを縦方向Ｘに二分する仮想直線（図示せず）よりも縦方向Ｘの外方即ちウエスト開口部ＷＨ側に配され、その配置位置においておむつ１の着用者の肌の最も近くに配されている。吸汗シート１０は、平面視において一方向に長い形状、具体的には長方形形状（帯状）をなし、その長手方向を横方向Ｙに一致させて、腹側部Ｆ及び背側部Ｒそれぞれの横方向Ｙの全長にわたって配されている。吸汗シート１０は、吸収体２３の縦方向端２３ａに沿ってこれと重なるように配されている。吸汗シート１０は、ウエスト開口部ＷＨから相対的に近い縦方向外方端１０ａと、ウエスト開口部ＷＨから相対的に遠い縦方向内方端１０ｂとを有し、両縦方向端１０ａ，１０ｂは横方向Ｙに平行に延びている。吸汗シート１０の縦方向外方端１０ａは、吸収体２３の縦方向端２３ａよりも縦方向Ｘの外方に位置し、吸汗シート１０の縦方向内方端１０ｂは、吸収体２３の縦方向端２３ａよりも縦方向Ｘの内方に位置している。
【００２４】
図５には、おむつ１の腹側部Ｆの縦方向Ｘの一端部における縦方向Ｘに沿う断面が示されている。以下、吸汗シート１０に関しては、おむつ１の腹側部Ｆを中心に説明する場合があるが、特に断らない限り、その説明は背側部Ｒにも適用される。
【００２５】
図４及び図５に示すように、吸汗シート１０よりも着用者の肌から遠い側即ち非肌対向面側には、疎水性であって吸汗性を有しない疎水シート１１が、吸収体２３から伸縮シートたる外装体３（腹側シート部材３Ｆ、背側シート部材３Ｒ）の外側延出部３Ｅにかけて、吸収体２３の縦方向端２３ａを跨ぐように配されている。疎水シート１１は、主として、吸収体２３に吸収された尿などの体液が吸汗シート１０を伝って外部に漏れ出す不都合を防止することを目的とするもので、おむつ１においては図１、図２及び図４に示すように、腹側部Ｆ（腹側シート部材３Ｆ）及び背側部Ｒ（背側シート部材３Ｒ）それぞれの肌対向面側において、腹側部Ｆ又は背側部Ｒを縦方向Ｘに二分する仮想直線（図示せず）よりも縦方向Ｘの外方即ちウエスト開口部ＷＨ側に配され、その配置位置において、吸汗シート１０の非肌対向面に重ねて配されている。疎水シート１１は、吸汗シート１０と同じ平面視形状をなしており、平面視において一方向に長い形状、具体的には長方形形状（帯状）をなし、その長手方向を横方向Ｙに一致させて、腹側部Ｆ及び背側部Ｒそれぞれの横方向Ｙの全長にわたって配されている。疎水シート１１は、吸収体２３の縦方向端２３ａに沿ってこれと重なるように配されている。疎水シート１１は、ウエスト開口部ＷＨから相対的に近い縦方向外方端１１ａと、ウエスト開口部ＷＨから相対的に遠い縦方向内方端１１ｂとを有し、両縦方向端１１ａ，１１ｂは横方向Ｙに平行に延びている。疎水シート１１の縦方向外方端１１ａは、吸収体２３の縦方向端２３ａよりも縦方向Ｘの外方に位置し、疎水シート１１の縦方向内方端１１ｂは、吸収体２３の縦方向端２３ａよりも縦方向Ｘの内方に位置している。
【００２６】
図４及び図５に示すように、吸汗シート１０の縦方向内方端１０ｂは、疎水シート１１の縦方向内方端１１ｂよりも縦方向Ｘの外方、即ちウエスト開口部ＷＨ寄りに位置しており、疎水シート１１は、図２に示す如き平面視において吸汗シート１０と部分的に重なると共に、吸汗シート１０の縦方向内方端１０ｂから縦方向Ｘの内方に延出する内側延出部１１Ｅを有している。
【００２７】
そして、図２及び図５に示すように、おむつ１において、吸汗シート１０と縦方向Ｘにおいて同位置にある領域を領域Ａ、疎水シート１１の内側延出部１１Ｅと縦方向Ｘにおいて同位置にある領域を領域Ｂとした場合、領域Ｂは領域Ａに比して横方向Ｙの伸長応力が大きい。横方向Ｙの伸長応力は、おむつ１の着用者に対する締め付け程度と相関があり、横方向Ｙの伸長応力が大きいほど締め付けが強くなる。従って、横方向Ｙの伸長応力の相互関係が前記の通り領域Ａ＜領域Ｂとなっている、おむつ１においては、吸汗シート１０が配されている領域Ａよりも、該領域Ａと縦方向Ｘにおいて隣接し且つ吸汗シート１０が配されずに疎水シート１１（内側延出部１１Ｅ）が配されている領域Ｂの方が、着用者に対する締め付けが強くなされている。伸長応力は下記方法により測定される。
【００２８】
＜伸長応力の測定方法＞
おむつ１を展開して平面状に拡げ、おむつ１の横方向Ｙと平行な直線に沿って、前記領域Ａ１，Ａ２，Ｂをそれぞれ切り出して測定サンプルとする。この切り出しの際には、外装体３のみならず、吸収性本体２等を含むおむつ１全体を切断する。測定サンプルの長手方向（横方向Ｙ）の両端（サイドシール部Ｓのすぐ内側）を、（株）ＯＲＩＥＮＴＥＣ社製のテンシロン万能試験機（ＲＴＣ−１２１０Ａ）のチャックに挟み、測定サンプルを３００ｍｍ／ｍｉｎの速度で長手方向に伸長させ、その際の測定サンプルの応力を測定する。具体的には、外装体３の内寸（弾性部材３３により外装体３のシート３１，３２が収縮していない状態での一対のサイドシール部Ｓ，Ｓ間の長さ）を１００（例えば３５０ｍｍ）とした場合に、測定サンプルを８０相当（例えば２８０ｍｍ）の長さまで伸長させた後に、７１相当（例えば２５０ｍｍ）の長さまで収縮させた時の引張り荷重（ｃＮ）をその測定サンプルの応力とする。測定サンプルの応力、即ち前記領域Ａ１，Ａ２，Ｂそれぞれの応力は、各領域の長手方向（横方向Ｙ）の長さあたりに換算することで，平均応力として算出される。
尚、測定サンプル（前記領域Ａ１，Ａ２，Ｂ）の応力として前記のように、外装材体の内寸を１００としたときの７１相当の長さにおける戻りの力を規定した理由は、おむつ１の如きパンツおむつを着用する主たる幼児の腹周りの長さがおむつ内寸と比して７１％程度となるからである。ここでいう、腹周りの長さは、幼児の姿勢が変化したときの腹周りの周長の変化を考慮し、立位及び座位で測定した腹周りの平均値である。
【００２９】
以上のような構成を有するおむつ１においては、吸汗機能を有する吸汗シート１０が、腹側部Ｆ及び背側部Ｒそれぞれの肌対向面側における、着用者の腰周りに対応する部位において、おむつ１の着用者の肌の最も近くに配され、また、横方向Ｙに伸縮性を有する伸縮シートたる外装体３（腹側シート部材３Ｆ、背側シート部材３Ｒ）が、腹側部Ｆ及び背側部Ｒそれぞれにおいて、吸収体２３（吸収性本体２）よりも着用者の肌から遠い側に配されているため、おむつ１の着用時には、外装体３の収縮力に起因する締め付けによって、吸汗シート１０が肌にフィット性良く当接し、肌から発散した汗を素早く吸収・蒸散し得る。
【００３０】
またこのように、吸汗シート１０を着用者の腰周りに対応し得る位置に配置した結果、おむつ１における吸汗シート１０は、図２、図４及び図５に示すように、吸収体２３の縦方向端２３ａを跨ぐように配されるところ、仮に、疎水シート１１が配されておらず、吸汗シート１０が吸収性本体２と直接接触しつつ吸収体２３の縦方向端２３ａを跨ぐように配されている場合には、その吸汗シート１０が外装体３の収縮力により着用者の肌に接触した際に、吸収体２３に吸収されている尿などの体液がその縦方向端２３ａから流出して吸汗シート１０を伝っておむつ１の外部に漏れ出すおそれがある。しかしながらおむつ１においては、疎水シート１１が、吸汗シート１０に非肌対向面即ち吸収性本体２との対向面に重ねて配され、且つ吸収体２３から伸縮シートたる外装体３の外側延出部３Ｅにかけて吸収体２３の縦方向端２３ａを跨ぐように配されているため、たとえ縦方向端２３ａから体液が流出したとしても、その流出した体液の面方向における拡散は疎水シート１１によって抑制され、該体液が吸汗シート１０と接触してこれを伝って流れる不都合が効果的に防止される。
【００３１】
またおむつ１においては、吸汗シート１０の縦方向内方端１０ｂが、疎水シート１１の縦方向内方端１１ｂよりも縦方向Ｘの外方に位置し、疎水シート１１が、該縦方向内方端１０ｂから縦方向Ｘの内方に延出する内側延出部１１Ｅを有していることにより、液の流出源たる吸収体２３の縦方向端２３ａ及びその近傍が、疎水シート１１で被覆された状態とされているため、吸収体２３に吸収された液の流出に起因する漏れが効果的に防止される。
【００３２】
また、吸汗シート１０がおむつ１の着用者の肌に強く密着してしまうと肌にダメージを与えるおそれがあるが、おむつ１においては前述した通り、腹側部Ｆ及び背側部Ｒそれぞれにおける横方向Ｙの伸長応力の相互関係が領域Ａ＜領域Ｂとなっており、これにより、吸汗シート１０が配されている領域Ａが相対的に弱く肌側に押圧され、吸汗シート１０が配されずに疎水シート１１の内側延出部１１Ｅが配されている領域Ｂが相対的に強く肌側に押圧されるようになされているため、領域Ａの吸汗シート１０は、肌に優しく当接して肌にダメージを与え難く、一方、領域Ｂの疎水シート１１の内側延出部１１Ｅは、肌に適度な強さで当接し、吸収体２３の縦方向端２３ａから流出した液が肌に付着する不都合が効果的に防止される。領域Ｂの疎水シート１１の内側延出部１１Ｅの近傍には、領域Ａにて該疎水シート１１の内側延出部１１Ｅよりも着用者の肌に近い位置に存する吸汗シート１０が配されているため、領域Ｂの締め付けがある程度強いものであっても、該疎水シート１１の内側延出部１１Ｅが肌にダメージを与え得るような強さで当接することがないようになされている。
【００３３】
おむつ１は、前述した作用効果が相俟って、吸汗シート１０が肌に優しく当接しつつ汗を素早く吸収し、且つ吸収体２３に吸収された体液が吸汗シート１０を伝って外部に漏れ出す不都合が発生し難いものであり、「肌へのやさしさ」を実現し得るものである。
【００３４】
前述した作用効果をより確実に奏させるようにする観点から、おむつ１の各部の寸法等は下記のように設定することが好ましい。
吸汗シート１０の縦方向Ｘの長さ（吸汗シート１０の長手方向と直交する幅方向の長さ即ち幅）は、好ましくは２０ｍｍ以上、さらに好ましくは３０ｍｍ以上、そして、好ましくは１００ｍｍ以下、さらに好ましくは８０ｍｍ以下である。
疎水シート１１の縦方向Ｘの長さ（幅）は、好ましくは２０ｍｍ以上、さらに好ましくは３０ｍｍ以上、そして、好ましくは１００ｍｍ以下、さらに好ましくは８０ｍｍ以下である。
吸汗シート１０の横方向Ｙの長さ即ち長手方向長さは、吸汗シート１０がおむつ１（腹側部Ｆ、背側部Ｒ）の横方向Ｙの中央部（外装体３の横方向中央部３Ｍ）に配されることを前提として、おむつ１の同方向の全長に対して、好ましくは４０％以上、さらに好ましくは７０％以上、上限は１００％である。
疎水シート１１の横方向Ｙの長さ即ち長手方向長さは、疎水シート１１が吸収体２３と吸汗シート１０との間に吸収体２３の縦方向端２３ａに沿って配されることを前提として、吸収体２３の同方向の全長に対して、好ましくは１１０％以上、さらに好ましくは１２０％以上、そして、好ましくは３００％以下、さらに好ましくは２５０％以下であり、上限はおむつ１の同方向の全長に対して１００％である。
疎水シート１１の内側延出部１１Ｅ即ち領域Ｂの縦方向Ｘの長さは、好ましくは３ｍｍ以上、さらに好ましくは５ｍｍ以上、そして、好ましくは２５ｍｍ以下、さらに好ましくは１５ｍｍ以下である。
【００３５】
吸汗シート１０の坪量は、好ましくは５ｇ／ｍ2以上、さらに好ましくは８ｇ／ｍ2以上、そして、好ましくは５０ｇ／ｍ2以下、さらに好ましくは４０ｇ／ｍ2以下である。
吸汗シート１０の厚みは、好ましくは０．０５ｍｍ以上、さらに好ましくは０．１ｍｍ以上、そして、好ましくは１ｍｍ以下、さらに好ましくは０．８ｍｍ以下である。
疎水シート１１の坪量は、好ましくは５ｇ／ｍ2以上、さらに好ましくは８ｇ／ｍ2以上、そして、好ましくは３０ｇ／ｍ2以下、さらに好ましくは２０ｇ／ｍ2以下である。
疎水シート１１の厚みは、好ましくは０．０５ｍｍ以上、さらに好ましくは０．１ｍｍ以上、そして、好ましくは０．８ｍｍ以下、さらに好ましくは０．６ｍｍ以下である。
吸汗シート１０及び疎水シート１１の厚みは、測定対象のシートに０．０５ｋＰａの荷重を加えた状態で、厚み測定器を用いて測定する。厚み測定器にはオムロン社製のレーザー変位計を用いる。厚み測定は、測定対象のシートにおける任意の１０箇所の厚みを測定し、それらの平均値を算出して該シートの厚みとする。
【００３６】
領域Ｂの横方向Ｙの伸長応力と領域Ａの横方向Ｙの伸長応力との比率は、領域Ｂの伸長応力／領域Ａの伸長応力として、好ましくは１．０４以上、さらに好ましくは１．０６以上、そして、好ましくは２以下、さらに好ましくは１．８以下である。
領域Ａの横方向Ｙの伸長応力は、領域Ａの伸長応力＜領域Ｂの伸長応力を前提として、好ましくは０．００６Ｎ／ｍｍ以上、さらに好ましくは０．００８Ｎ／ｍｍ以上、そして、好ましくは０．０５５Ｎ／ｍｍ以下、さらに好ましくは０．０４５Ｎ／ｍｍ以下である。
領域Ｂの横方向Ｙの伸長応力は、領域Ａの伸長応力＜領域Ｂの伸長応力を前提として、好ましくは０．００８Ｎ／ｍｍ以上、さらに好ましくは０．０１Ｎ／ｍｍ以上、そして、好ましくは０．０７Ｎ／ｍｍ以下、さらに好ましくは０．０６Ｎ／ｍｍ以下である。
【００３７】
領域Ａ及び領域Ｂの横方向Ｙの伸長応力（伸縮性）は、領域Ａ及び領域Ｂ並びにそれらの近傍に配されている胴周り弾性部材３３の数、弾性部材３３の太さ、弾性部材３３どうしの離間距離の他、弾性部材３３が固定されているシート状部材、即ち外層シート３１及び内層シート３２の種類（伸縮性）などを適宜調整することで調整可能である。
【００３８】
おむつ１においては図４及び図５に示すように、吸汗シート１０は、疎水シート１１の縦方向外方端１１ａから縦方向Ｘの外方に延出する外側延出部１０Ｅを有している。斯かる構成により、吸汗領域が拡大し、通気性が向上するため、吸汗シート１０による吸汗速乾効果がより一層向上し得る。
斯かる作用効果をより確実に奏させるようにする観点から、吸汗シート１０の外側延出部１０Ｅの縦方向Ｘの長さ（後述する領域Ａ１の縦方向Ｘの長さに相当）は、好ましくは３ｍｍ以上、さらに好ましくは５ｍｍ以上、そして、好ましくは５０ｍｍ以下、さらに好ましくは４０ｍｍ以下である。
【００３９】
また、おむつ１においては、吸汗シート１０は、その外側延出部１０Ｅにて、伸縮シートたる外装体３の外側延出部３Ｅに接合されていると共に、吸汗シート１０の外側延出部１０Ｅ寄りの部分にて、疎水シート１１に接合されている。この吸汗シート１０と外装体３の外側延出部３Ｅ及び疎水シート１１との接合手段としては、接着剤、ヒートシール、超音波シール等の公知の接合手段を用いることができる。図５には、吸汗シート１０の外側延出部１０Ｅと外装体３の外側延出部３Ｅとが接着剤１２によって互いに接合されている状態が示されている。このように、吸汗シート１０が、疎水シート１１及び伸縮シートたる外装体３の外側延出部３Ｅに跨ってこれらに接合されることで、おむつ１の着用時において吸汗シート１０の肌に対するフィット性が向上するため、吸汗シート１０による吸汗速乾効果がより一層向上し得る。吸汗シート１０と外装体３の外側延出部３Ｅ及び疎水シート１１との接合部（図５においては接着剤１２）は、吸汗シート１０の横方向Ｙの全長にわたって連続していても良く、同方向に間欠配置されていても良い。
【００４０】
また、おむつ１においては前述した通り、吸収体２３（吸収性本体２）が伸縮シートたる外装体３（腹側シート部材３Ｆ、背側シート部材３Ｒ）の横方向中央部３Ｍと重なり、該横方向中央部３Ｍは、外装体３の横方向両側部３Ｓ，３Ｓに比して伸縮性が低くなされているところ、斯かる構成により、吸収体２３の皺が形成されにくくなるため、吸汗シート１０の肌に対するフィット性及び吸汗速乾効果がより一層向上し得る。
【００４１】
図５を参照して、領域Ａのうち、吸汗シート１０の外側延出部１０Ｅと縦方向Ｘにおいて同位置にある領域を領域Ａ１、領域Ａ１以外の領域即ち疎水シート１１と重なる領域を領域Ａ２とした場合、吸汗シート１０が配されずに疎水シート１１（内側延出部１１Ｅ）が配されている領域Ｂは、領域Ａ１に比して横方向Ｙの伸長応力が大きいことが好ましい。このように領域Ａ１＜領域Ｂとなっていることにより、前述した領域Ａ＜領域Ｂであることによる作用効果が一層促進され、吸汗シート１０の肌に対するフィット性、吸汗シート１０による吸汗速乾効果、疎水シート１１による防漏性がより一層向上すると共に、これらが肌に強く当接しないため、肌へのやさしさがより一層確実に実現されようになる。領域Ａ１＜領域Ｂとするための各部の伸長応力の調整は、領域Ａ１＜領域Ｂとするための前述した調整方法と同様に行うことができる。
【００４２】
領域Ｂの横方向Ｙの伸長応力と領域Ａ１の横方向Ｙの伸長応力との比率は、領域Ｂの伸長応力／領域Ａ１の伸長応力として、好ましくは１．０６以上、さらに好ましくは１．０８以上、そして、好ましくは２．２以下、さらに好ましくは２以下である。
領域Ａ１の横方向Ｙの伸長応力は、領域Ａ１の伸長応力＜領域Ｂの伸長応力を前提として、好ましくは０．００５Ｎ／ｍｍ以上、さらに好ましくは０．００７５Ｎ／ｍｍ以上、そして、好ましくは０．０５Ｎ／ｍｍ以下、さらに好ましくは０．０４Ｎ／ｍｍ以下である。
【００４３】
吸汗シート１０の肌に対するフィット性、吸汗シート１０による吸汗速乾効果、疎水シート１１による防漏性を高めて、肌へのやさしさを実現する観点から、腹側部Ｆ及び背側部Ｒそれぞれにおける横方向Ｙの伸長応力の相互関係に関して特に好ましい形態は、腹側部Ｆ及び背側部Ｒそれぞれにおける横方向Ｙの伸長応力が、領域Ｂ、領域Ａ２、領域Ａ１の順で大きい、即ち領域Ｂの横方向Ｙの伸長応力が最大、領域Ａ１の横方向Ｙの伸長応力が最小の形態である。
【００４４】
領域Ｂの横方向Ｙの伸長応力と領域Ａ２の横方向Ｙの伸長応力との比率は、領域Ｂの伸長応力／領域Ａ２の伸長応力として、好ましくは１．０２以上、さらに好ましくは１．０４以上、そして、好ましくは１．８以下、さらに好ましくは１．６以下である。
領域Ａ２の横方向Ｙの伸長応力と領域Ａ１の横方向Ｙの伸長応力との比率は、領域Ａ２の伸長応力／領域Ａ１の伸長応力として、好ましくは１．０４以上、さらに好ましくは１．０６以上、そして、好ましくは２以下、さらに好ましくは１．８以下である。
領域Ａ２の横方向Ｙの伸長応力は、領域Ａ１の伸長応力＜領域Ａ２の伸長応力＜領域Ｂの伸長応力を前提として、好ましくは０．００７Ｎ／ｍｍ以上、さらに好ましくは０．００９Ｎ／ｍｍ以上、そして、好ましくは０．０６Ｎ／ｍｍ以下、さらに好ましくは０．０５Ｎ／ｍｍ以下である。
【００４５】
本発明に係る吸汗シートとしては、汗を吸収可能な親水領域を有するシートを用いることができる。本発明に係る吸汗シートが吸収すべき「汗」は、その９９質量％以上が水であるから、吸収性物品において吸汗シートが実用上十分な吸汗性を発現するためには、親水領域を有する必要がある。本発明に係る吸汗シートは、その全体が親水領域であっても良く、あるいは親水領域を部分的に有していても良い。本発明に係る吸汗シートが親水領域を部分的に有するものである場合、その親水領域の配置位置は特に限定されず、吸汗シートの面方向において間欠的に配置されていても良い。あるいは、吸汗シートの一方の面側例えば肌対向面側の全体が親水領域、他方の面側例えば非肌対向面側の全体が非親水領域即ち疎水領域であっても良い。
【００４６】
本発明において、シートあるいはその一部の領域が親水性であるか疎水性であるかは、下記方法で測定される繊維の接触角に基づき判断される。具体的には、繊維の接触角が９０度未満であれば親水性、９０度以上であれば疎水性である。下記方法で測定される繊維の接触角が小さいほど親水性が高く（疎水性が低く）、該接触角が大きいほど親水性が低い（疎水性が高い）。例えば前述したおむつ１において、吸汗シート１０が有する親水領域は、下記方法で測定される繊維の接触角が９０度未満の領域である。一方、疎水シート１１はその全体が、下記方法で測定される繊維の接触角が９０度以上である。
【００４７】
＜接触角の測定方法＞
測定対象のシート（不織布）の厚み方向に沿う断面が上面となるようにセットし、シートの厚み方向へシートの最表面から厚みの１／１０までの区間の繊維をランダムに複数サンプリングし、水の接触角を測定する。測定装置として、協和界面科学株式会社製の自動接触角計ＭＣＡ−Ｊを用いる。接触角の測定には蒸留水を用いる。インクジェット方式水滴吐出部（クラスターテクノロジー社製、吐出部孔径が２５μｍのパルスインジェクターＣＴＣ−２５）から吐出される液量を１５ピコリットルに設定して、水滴を、それぞれの繊維の中央の真上に滴下する。滴下の様子を水平に設置されたカメラに接続された高速度録画装置に録画する。録画装置は後に画像解析をする観点から、高速度キャプチャー装置が組み込まれたパーソナルコンピュータが望ましい。本測定では、１７ｍｓｅｃごとに画像が録画される。録画された映像において、繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維とのなす角を算出し、接触角とする。繊維は、繊維長１ｍｍ程度に裁断し、該繊維を接触角計のサンプル台に載せて、水平に維持する。Ｎ＝５本の接触角を小数点以下１桁まで計測し、合計１０箇所の測定値を平均した値（小数点以下第１桁で四捨五入）を接触角と定義する。接触角の低いものほど親水性が高いことを意味する。測定環境は、室温２２±２℃、湿度６５±２％ＲＨとする。
【００４８】
尚、吸収性物品からその構成部材（例えば吸汗シート）を取り出して評価測定する場合において、その構成部材が、接着剤、融着などによって他の構成部材に固定されている場合には、固定されていない部分において測定するか、その固定部分を除去してから取り出す。その際、構成部材に付与された親水化剤への影響を最小限に抑える観点から、固定部分の除去方法として、溶剤の塗布やドライヤーによる熱風吹き付けのような、油剤の変質、喪失を招く恐れのある方法は採用しないことが好ましい。
【００４９】
本発明に係る吸汗シートは、典型的には不織布を主体とする。本発明に係る吸汗シートを構成する不織布としては、表面シートなどの吸収性物品の構成部材として使用可能な各種製法による不織布を特に制限なく用いることができ、例えば、カード法により製造された不織布、スパンボンド不織布、メルトブローン不織布、スパンレース不織布、ニードルパンチ不織布などが挙げられる。
【００５０】
本発明に係る吸汗シートにおいては、親水領域は親水性繊維から構成され、親水領域以外の領域即ち疎水領域を有する場合には、その疎水領域は疎水性繊維から構成される。本発明に係る吸汗シートは、好ましくは、親水性繊維及び疎水性繊維の両方を含んで構成される。
【００５１】
本発明に係る吸汗シートに用いられる疎水性繊維としては、各種の熱可塑性樹脂からなる繊維（熱融着繊維）を用いることができる。熱可塑性樹脂としては、ポリエチレン、ポリプロピレン等のポリオレフィン；ポリエチレンテレフタレート等のポリエステル；ナイロン６、ナイロン６６等のポリアミド；ポリアクリル酸、ポリメタクリル酸アルキルエステル、ポリ塩化ビニル、ポリ塩化ビニリデン等が挙げられ、これらの１種を単独で又は２種以上を組み合わせて用いることができる。疎水性繊維は、短繊維でも長繊維でも良い。疎水性繊維としては、芯鞘型又はサイド・バイ・サイド型等の複合繊維、分割繊維、異形断面繊維、熱収縮繊維等を用いることもできる。
【００５２】
本発明に係る吸汗シートに用いられる親水性繊維としては、疎水性繊維に親水化処理が施されたもの、具体的には例えば、親水化剤が練り込まれた疎水性繊維、表面に親水化剤が付着した疎水性繊維、プラズマ処理が施された疎水性繊維などを用いることができる。また、本来的に親水性を有する繊維、例えばセルロース繊維などの天然系や半天然系の繊維を用いることもできる。
【００５３】
本発明に係る吸汗シートは、例えば、疎水性繊維を含んで構成される疎水性不織布に親水化剤を付着させることで製造することができ、その場合、親水化剤の付着部分が親水領域となる。親水化剤の疎水性不織布への付着方法は特に限定されず、例えば、親水化剤を含む塗布液の塗布又は噴霧が挙げられる。親水化剤は、衛生品用途に使用される一般的な親水化剤であれば特に限定されない。
【００５４】
本発明に係る疎水シートとしては、疎水性繊維（熱融着繊維）を含んで構成される不織布が好ましく用いられる。不織布の種類としては、本発明に係る吸汗シートとして使用可能なものを用いることができる。
【００５５】
本発明に係る吸汗シートの例として、下記吸汗シートＡ〜Ｃが挙げられる。下記吸汗シートＡ〜Ｃは何れも、着用者の肌に最も近い位置に配され、疎水性繊維を含んで構成された肌側疎水層と、該肌側疎水層の非肌対向面側に配され、親水性繊維を含んで構成された非肌側親水層との積層体である。前記肌側疎水層としては、例えば、疎水性繊維からなる疎水性不織布（全体が疎水性の不織布）を用いることができ、前記非肌側親水層としては、例えば、親水性繊維からなる親水性不織布（全体が親水性の不織布）を用いることができる。
【００５６】
下記吸汗シートＡの主たる特徴の１つは、前記肌側疎水層と前記非肌側親水層との接合部（融着部）において、両層の構成繊維が混在している点にある。
下記吸汗シートＢの主たる特徴の１つは、前記肌側疎水層が、前記非肌側親水層側に向かって窪んだ窪み部と、該窪み部内にて非肌側親水層の近傍に位置する融着部とを有している点にある。
下記吸汗シートＣの主たる特徴の１つは、前記肌側疎水層が、前記非肌側親水層側に向かって窪んだ窪み部と、該窪み部内に位置して該肌側疎水層を厚み方向に貫通する開孔とを有している点にある。
【００５７】
吸汗シートＡ：
前記肌対向面を形成する肌側疎水層と、該肌側疎水層の非肌対向面側に位置する非肌側親水層とを有し、両層どうしは、両層の面方向において分散配置された複数の接合部で接合されており、
前記接合部の周囲部では、前記非肌側親水層を構成する親水性繊維どうしの隙間に前記肌側疎水層を構成する疎水性繊維が入り込み、該肌側疎水層を構成する疎水性繊維どうしの隙間に該非肌側親水層を構成する親水性繊維が入り込んでおり、該非肌側親水層を構成する親水性繊維が該肌側疎水層の肌対向面に達している。
【００５８】
前記吸汗シートＡにおいて、前記の「繊維が入り込んでいる」とは、吸汗シートＡの厚み方向に沿う断面視において、前記肌側疎水層及び前記非肌側親水層のうちの少なくとも一方の構成繊維が、他方を厚み方向に貫通し、他方の表面（一方との対向面とは反対側の面）から突出している状態を意味する。
また、前記接合部は、前記肌側疎水層と前記非肌側親水層とを重ね合わせ、重ね合わせた部分に熱エンボス加工を施すことにより形成され、該接合部では、両層の構成繊維が溶融固化されている。
【００５９】
前記吸汗シートＡにおいては、吸収性物品の着用中に、着用者の汗が、特に前記接合部の周囲部において、前記肌側疎水層の肌対向面に達している前記非肌側親水層を構成する親水性繊維によって、該非肌側親水層に移行しやすい。そして、前記非肌側親水層に移行した着用者の汗と、着用者の肌との間には、疎水性の前記肌側疎水層が配されているので、この汗が再び肌側に戻ることは困難である。従って前記吸汗シートＡによれば、汗疹などの肌トラブルが効果的に防止され得る。
【００６０】
前記吸汗シートＡは、疎水性繊維からなる疎水性不織布と親水性繊維からなる親水性不織布とが分散配置された複数の接合部で接合されていたが、疎水性繊維と親水性繊維とを層状に積層した後に両繊維どうしを熱で溶融固着することで製造された不織布を、本発明に係る吸汗シートとして用いることもできる。以下、この不織布を「吸汗シートＡ１」という。吸汗シートＡ１について特に説明しない点は、吸汗シートＡについての説明が適宜適用される。
【００６１】
前記吸汗シートＡ１は、着用者の肌に最も近い位置に配され、疎水性繊維を含んで構成された肌側疎水層と、該肌側疎水層の非肌対向面側に配され、親水性繊維を含んで構成された非肌側親水層とを含み、該肌側疎水層と該非肌側親水層とが複数個の融着部で接合されている。前記吸汗シートＡ１は１枚の不織布として構成されており、その肌対向面には疎水性繊維で構成された肌側疎水層が、その非肌対向面側には親水性繊維で構成された非肌側親水層が存在し、該肌側疎水層の構成繊維と該非肌側親水層の構成繊維とを固着する融着部を有している。前記吸汗シートＡ１の前記融着部と、前記吸汗シートＡの前記接合部（疎水性の肌側シートと親水性の非肌側シートとの接合部）とは、疎水性繊維からなる肌側疎水層（疎水性の肌側シート）と親水性繊維からなる非肌側親水層（親水性の非肌側シート）とを接合固定する点では同じであるが、１枚の不織布からなる前記吸汗シートＡ１の前記融着部は該不織布製造時に形成されているのに対し、２枚の不織布の積層構造を含む前記吸汗シートＡの前記接合部は両不織布の積層後に形成されている点で異なる。前記吸汗シートＡ１の前記融着部は、疎水層の構成繊維と親水層の構成繊維とを固着して、前記吸汗シートＡ１が１枚の不織布としての形態を維持するために形成されている。前記吸汗シートＡ１の前記融着部は、基本的には、不織布の形態を維持できれば、均等に分散配置されていてもよいし、不均等に分散配置されていてもよい。
【００６２】
吸汗シートＢ：
肌対向面を形成する肌側疎水層と、該肌側疎水層の非肌対向面側に位置する非肌側親水層とを有し、
前記肌側疎水層は、前記非肌側親水層側に向かって窪んだ複数の窪み部と、各該窪み部内の頂部に位置する融着部とを備え、
前記融着部は、前記肌側疎水層の構成繊維が溶融して該構成繊維どうしが隙間なく融着している部分を含む。
【００６３】
前記吸汗シートＢにおいて、前記融着部は、前記肌側疎水層のみに熱エンボス加工を施すことにより形成され、該融着部では、該肌側疎水層の構成繊維が溶融固化されている。
また、前記融着部における「構成繊維どうしが隙間なく融着している部分」では、前記肌側シートの構成繊維どうしが隙間なく溶融して例えばフィルム化している。そのため、この「構成繊維どうしが隙間なく融着している部分」は、液を透過しない液不透過性である。
【００６４】
前記吸汗シートＢにおいては、疎水性の前記肌側疎水層における前記「構成繊維どうしが隙間なく融着している部分」は、液を透過しない液不透過性であるが、水との親和性が相対的に強くなっている部分であるため、吸収性物品の着用中に、着用者の汗が、前記窪み部を除く部分から該窪み部に引き寄せられやすく、汗が前記融着部の周囲から親水性の前記非肌側親水層に素早く移行しやすい。こうして前記肌側疎水層から前記非肌側親水層に移行した着用者の汗は、再び疎水性の該肌側疎水層や肌に戻り難い。従って前記吸汗シートＢによれば、汗疹などの肌トラブルが効果的に防止され得る。
【００６５】
吸汗シートＣ：
肌対向面を形成する肌側疎水層と、該肌側疎水層の非肌対向面側に位置する非肌側親水層とを有し、
前記肌側疎水層は、前記非肌側親水層側に向かって窪んだ複数の窪み部と、各該窪み部内に位置して該肌側疎水層を厚み方向に貫通する開孔とを備え、
前記肌側疎水層の前記窪み部は、その厚みが、前記開孔に近づくほど小さくなっている。
【００６６】
前記吸汗シートＣにおいて、前記窪み部内には、前記肌側疎水層の構成繊維どうしが融着した融着部が存しており、該融着部内に前記開孔が形成されている。前記融着部は、前記肌側疎水層の構成繊維が溶融して該構成繊維どうしが隙間なく融着している部分を含んでいる。この「構成繊維どうしが隙間なく融着している部分」は、前記吸汗シートＢにおけるものと同様である。前記融着部は、前記肌側疎水層のみに熱エンボス加工を施すことにより形成され、その際、熱エンボス加工の条件を強くする、具体的には例えば、加熱温度を高める、あるいは加圧時間を長くすることで、形成された融着部内に前記開孔が形成される。
【００６７】
前記吸汗シートＣにおいては、吸収性物品の着用中に、着用者の汗が、前記窪み部を除く部分から該窪み部に引き寄せられやすく、そして、該窪み部の厚みが前記開孔に近づくほど小さい、即ち前記肌側疎水層の構成繊維の繊維間距離が該開孔に向かって徐々に狭く形成されているため、該開孔から汗が親水性の前記非肌側親水層に素早く移行しやすい。こうして前記肌側疎水層から前記非肌側親水層に移行した着用者の汗は、再び疎水性の該肌側疎水層や肌に戻り難い。従って前記吸汗シートＣによれば、汗疹などの肌トラブルが効果的に防止され得る。
【００６８】
以上、本発明をその実施形態に基づいて説明したが、本発明は、前記実施形態に制限されることなく適宜変更が可能である。例えば前記実施形態においては、疎水シート１１は外装体３とは別体であったが、外装体３の一部即ち外層シート３１及び／又は内層シート３２が疎水シート１１であっても良い。具体的には例えば、公知のパンツ型使い捨ておむつで採用されているように、疎水性不織布からなる外層シート３１が、腹側部Ｆ及び／又は背側部Ｒにおいて、内層シート３２の縦方向Ｘの端縁から延出し、内層シート３２の肌対向面側に折り返される折り返し部を有している場合において、その外層シート３１の折り返し部を疎水シート１１として利用することができる。
【００６９】
また、前記実施形態のおむつ１においては、疎水シート１１はおむつ１の横方向Ｙの全長にわたって配されていたが、疎水シート１１は吸収体２３と吸汗シート１０との間に吸収体２３の縦方向端２３ａに沿って配されていればよく、吸収性物品の横方向の全長にわたって配されていなくてもよい。図６に示すおむつ１Ａにおいては、疎水シート１１は、おむつ１Ａの横方向Ｙの全長よりも短く且つ吸収体２３の同方向の全長よりも長く、且つおむつ１Ａの横方向Ｙの中央部に部分的に配されている。
【００７０】
また前記実施形態においては、外装体３が腹側シート部材３Ｆと背側シート部材３Ｒとに分割され、吸収性本体２が両シート部材３Ｆ，３Ｒに架け渡して固定されていたが、本発明に係る外装体は、このような連続した形状に制限されず、例えば、腹側部と背側部とで分割されずに、腹側部、股下部及び背側部に亘る砂時計状等の連続した形状であっても良い。また、本発明の吸収性物品は、前述したおむつ１の如きパンツ型使い捨ておむつに限定されず、体液の吸収に用いられる物品全般に適用することができ、例えば、展開型使い捨ておむつに適用することができる。前述した本発明の実施形態に関し、更に以下の付記を開示する。
【００７１】
＜１＞
着用者の腹側から股間部を介して背側に延びる方向に相当する縦方向とこれに直交する横方向とを有し、液保持性の吸収体と、該吸収体よりも着用者の肌から遠い側に配され、横方向に伸縮性を有する伸縮シートとを具備し、着用時に着用者の肌と接触し得る部位に、汗を吸収可能な親水領域を有する吸汗シートが配された吸収性物品であって、
前記伸縮シートは、前記吸収体の縦方向端から縦方向外方に延出する外側延出部を有し、前記吸汗シートよりも着用者の肌から遠い側に、疎水シートが、該吸収体から該伸縮シートの外側延出部にかけて該吸収体の縦方向端を跨ぐように配されており、
前記吸汗シートの縦方向内方端は、前記疎水シートの縦方向内方端よりも縦方向外方に位置しており、該疎水シートは、平面視において前記吸汗シートと部分的に重なると共に、該吸汗シートの縦方向内方端から縦方向内方に延出する内側延出部を有し、
前記吸収性物品において、前記吸汗シートと縦方向において同位置にある領域を領域Ａ、前記疎水シートの内側延出部と縦方向において同位置にある領域を領域Ｂとした場合、該領域Ｂは該領域Ａに比して横方向の伸長応力が大きい吸収性物品。
【００７２】
＜２＞
前記吸汗シートは、前記疎水シートの縦方向外方端から縦方向外方に延出する外側延出部を有している前記＜１＞に記載の吸収性物品。
＜３＞
前記吸汗シートの外側延出部の縦方向長さが、好ましくは３ｍｍ以上、さらに好ましくは５ｍｍ以上、そして、好ましくは５０ｍｍ以下、さらに好ましくは４０ｍｍ以下である前記＜２＞に記載の吸収性物品。
＜４＞
前記吸汗シートは、該吸汗シートの外側延出部にて前記伸縮シートに接合されていると共に、該吸汗シートの外側延出部寄りの部分にて前記疎水シートに接合されている前記＜２＞又は＜３＞に記載の吸収性物品。
【００７３】
＜５＞
前記領域Ａのうち、前記吸汗シートの外側延出部と縦方向において同位置にある領域を領域Ａ１、該領域Ａ１以外の領域を領域Ａ２とした場合、前記領域Ｂは該領域Ａ１に比して横方向の伸長応力が大きい前記＜２＞〜＜４＞の何れか１項に記載の吸収性物品。
＜６＞
横方向の伸長応力は、前記領域Ｂ、前記領域Ａ２、前記領域Ａ１の順で大きい前記＜２＞〜＜５＞の何れか１項に記載の吸収性物品。
＜７＞
前記領域Ｂの横方向の伸長応力と前記領域Ａ１の横方向の伸長応力との比率が、前記領域Ｂの伸長応力／前記領域Ａ１の伸長応力として、好ましくは１．０６以上、さらに好ましくは１．０８以上、そして、好ましくは２．２以下、さらに好ましくは２以下である前記＜５＞又は＜６＞に記載の吸収性物品。
＜８＞
前記領域Ａ１の横方向の伸長応力が前記領域Ｂの伸長応力よりも小さく、且つ、好ましくは０．００５Ｎ／ｍｍ以上、さらに好ましくは０．００７５Ｎ／ｍｍ以上、そして、好ましくは０．０５Ｎ／ｍｍ以下、さらに好ましくは０．０４Ｎ／ｍｍ以下である前記＜５＞〜＜７＞の何れか１項に記載の吸収性物品。
＜９＞
前記領域Ｂの横方向の伸長応力と前記領域Ａ２の横方向の伸長応力との比率が、前記領域Ｂの伸長応力／前記領域Ａ２の伸長応力として、好ましくは１．０２以上、さらに好ましくは１．０４以上、そして、好ましくは１．８以下、さらに好ましくは１．６以下である前記＜５＞〜＜８＞の何れか１項に記載の吸収性物品。
＜１０＞
前記領域Ａ２の横方向の伸長応力と前記領域Ａ１の横方向の伸長応力との比率が、前記領域Ａ２の伸長応力／前記領域Ａ１の伸長応力として、好ましくは１．０４以上、さらに好ましくは１．０６以上、そして、好ましくは２以下、さらに好ましくは１．８以下である前記＜５＞〜＜９＞の何れか１項に記載の吸収性物品。
【００７４】
＜１１＞
前記吸収体は前記伸縮シートの横方向中央部と重なり、該伸縮シートの横方向中央部は、横方向両側部に比して伸縮性が低い前記＜１＞〜＜１０＞の何れか１項に記載の吸収性物品。
＜１２＞
前記吸汗シートは、親水性繊維及び疎水性繊維を含んで構成されている前記＜１＞〜＜１１＞の何れか１項に記載の吸収性物品。
＜１３＞
前記吸汗シートは、着用者の肌に最も近い位置に配され、疎水性繊維を含んで構成された肌側疎水層と、該肌側疎水層の非肌対向面側に配され、親水性繊維を含んで構成された非肌側親水層とを含み、該肌側疎水層と該非肌側親水層とが複数個の融着部で接合されている前記＜１＞〜＜１２＞の何れか１項に記載の吸収性物品。
＜１４＞
前記吸汗シートは、該吸汗シートの肌対向面を形成する肌側疎水層と、該肌側疎水層の非肌対向面側に位置する非肌側親水層とを有し、両層どうしは、両層の面方向において分散配置された複数の接合部で接合されており、
前記接合部の周囲部では、前記非肌側親水層を構成する親水性繊維どうしの隙間に前記肌側疎水層を構成する疎水性繊維が入り込み、該肌側疎水層を構成する疎水性繊維どうしの隙間に該非肌側親水層を構成する親水性繊維が入り込んでおり、該非肌側親水層を構成する親水性繊維が該肌側疎水層の肌対向面に達している前記＜１＞〜＜１２＞の何れか１項に記載の吸収性物品。
＜１５＞
前記吸汗シートは、着用者の肌に最も近い位置に配され、疎水性繊維を含んで構成された肌側疎水層を有し、
前記肌側疎水層の肌対向面に窪み部が形成され、該窪み部内の頂部に融着部が存在し、該融着部は、該肌側疎水層の構成繊維が溶融して該構成繊維どうしが隙間なく融着している部分を含む前記＜１＞〜＜１４＞の何れか１項に記載の吸収性物品。
＜１６＞
前記吸汗シートは、着用者の肌に最も近い位置に配され、疎水性繊維を含んで構成された肌側疎水層を有し、
前記肌側疎水層の肌対向面に窪み部が形成され、該窪み部内に該肌側疎水層を厚み方向に貫通する開孔が形成されている前記＜１＞〜＜１４＞の何れか１項に記載の吸収性物品。
【００７５】
＜１７＞
前記吸汗シートの縦方向長さが、好ましくは２０ｍｍ以上、さらに好ましくは３０ｍｍ以上、そして、好ましくは１００ｍｍ以下、さらに好ましくは８０ｍｍ以下である前記＜１＞〜＜１６＞の何れか１項に記載の吸収性物品。
＜１８＞
前記疎水シートの縦方向長さが、好ましくは２０ｍｍ以上、さらに好ましくは３０ｍｍ以上、そして、好ましくは１００ｍｍ以下、さらに好ましくは８０ｍｍ以下である前記＜１＞〜＜１７＞の何れか１項に記載の吸収性物品。
＜１９＞
前記吸汗シートが前記吸収性物品の横方向中央部に配され、該吸汗シートの横方向長さ（長手方向長さ）が、該吸収性物品の同方向の全長に対して、好ましくは４０％以上、さらに好ましくは７０％以上、上限は１００％である前記＜１＞〜＜１８＞の何れか１項に記載の吸収性物品。
＜２０＞
前記疎水シートが前記吸収体と前記吸汗シートとの間に該吸収体の縦方向端に沿って配され、該疎水シートの横方向長さ（長手方向長さ）が、該吸収体の同方向の全長に対して、好ましくは１１０％以上、さらに好ましくは１２０％以上、そして、好ましくは３００％以下、さらに好ましくは２５０％以下である前記＜１＞〜＜１９＞の何れか１項に記載の吸収性物品。
＜２１＞
前記疎水シートの内側延出部の縦方向長さ（前記領域Ｂの縦方向長さ）が、好ましくは３ｍｍ以上、さらに好ましくは５ｍｍ以上、そして、好ましくは２５ｍｍ以下、さらに好ましくは１５ｍｍ以下である前記＜１＞〜＜２０＞の何れか１項に記載の吸収性物品。
【００７６】
＜２２＞
前記吸汗シートの坪量が、好ましくは５ｇ／ｍ2以上、さらに好ましくは８ｇ／ｍ2以上、そして、好ましくは５０ｇ／ｍ2以下、さらに好ましくは４０ｇ／ｍ2以下である前記＜１＞〜＜２１＞の何れか１項に記載の吸収性物品。
＜２３＞
前記吸汗シートの厚みが、好ましくは０．０５ｍｍ以上、さらに好ましくは０．１ｍｍ以上、そして、好ましくは１ｍｍ以下、さらに好ましくは０．８ｍｍ以下である前記＜１＞〜＜２２＞の何れか１項に記載の吸収性物品。
＜２４＞
前記疎水シートの坪量が、好ましくは５ｇ／ｍ2以上、さらに好ましくは８ｇ／ｍ2以上、そして、好ましくは３０ｇ／ｍ2以下、さらに好ましくは２０ｇ／ｍ2以下である前記＜１＞〜＜２３＞の何れか１項に記載の吸収性物品。
＜２５＞
前記疎水シートの厚みが、好ましくは０．０５ｍｍ以上、さらに好ましくは０．１ｍｍ以上、そして、好ましくは０．８ｍｍ以下、さらに好ましくは０．６ｍｍ以下である前記＜１＞〜＜２４＞の何れか１項に記載の吸収性物品。
【００７７】
＜２６＞
前記領域Ｂの横方向の伸長応力と前記領域Ａの横方向の伸長応力との比率が、前記領域Ｂの伸長応力／前記領域Ａの伸長応力として、好ましくは１．０４以上、さらに好ましくは１．０６以上、そして、好ましくは２以下、さらに好ましくは１．８以下である前記＜１＞〜＜２５＞の何れか１項に記載の吸収性物品。
＜２７＞
前記領域Ａの横方向の伸長応力が前記領域Ｂの伸長応力よりも小さく、且つ、好ましくは０．００６Ｎ／ｍｍ以上、さらに好ましくは０．００８Ｎ／ｍｍ以上、そして、好ましくは０．０５５Ｎ／ｍｍ以下、さらに好ましくは０．０４５Ｎ／ｍｍ以下である前記＜１＞〜＜２６＞の何れか１項に記載の吸収性物品。
＜２８＞
前記領域Ｂの横方向の伸長応力が前記領域Ａの伸長応力よりも大きく、且つ、好ましくは０．００８Ｎ／ｍｍ以上、さらに好ましくは０．０１Ｎ／ｍｍ以上、そして、好ましくは０．０７Ｎ／ｍｍ以下、さらに好ましくは０．０６Ｎ／ｍｍ以下である前記＜１＞〜＜２７＞の何れか１項に記載の吸収性物品。
【００７８】
＜２９＞
前記吸汗シートが不織布である前記＜１＞〜＜２８＞の何れか１項に記載の吸収性物品。
＜３０＞
前記吸汗シートにおいて、前記親水領域が親水性繊維から構成され、該親水領域以外の領域が疎水性繊維から構成されている前記＜１＞〜＜２９＞の何れか１項に記載の吸収性物品。
＜３１＞
前記伸縮シート（前記外装体）は、横方向に伸長状態で固定された弾性部材を具備する前記＜１＞〜＜３０＞の何れか１項に記載の吸収性物品。
【００７９】
＜３２＞
前記吸収性物品は、着用者の股間部に配される股下部と、該股下部の前後から縦方向に延出する腹側部及び背側部を有し、
前記吸汗シートは、少なくとも前記背側部に配されている前記＜１＞〜＜３１＞の何れか１項に記載の吸収性物品。
＜３３＞
前記吸汗シートは、前記腹側部及び前記背側部それぞれの肌対向面側において、該腹側部又は該背側部を縦方向に二分する仮想直線よりも縦方向外方に配されている前記＜３２＞に記載の吸収性物品。
＜３４＞
前記吸汗シートは、平面視において一方向に長い形状（長方形形状）をなし、その長手方向を横方向に一致させて、前記腹側部及び前記背側部それぞれの横方向の全長にわたって配されている前記＜３２＞又は＜３３＞に記載の吸収性物品。
＜３５＞
前記疎水シートは、前記吸汗シートと同じ平面視形状をなしており、平面視において一方向に長い形状（長方形形状）をなし、その長手方向を横方向に一致させて、前記腹側部及び前記背側部それぞれの横方向の全長にわたって配されている前記＜３２＞〜＜３４＞の何れか１項に記載の吸収性物品。
【産業上の利用可能性】
【００８０】
本発明によれば、吸汗シートが肌に優しく当接しつつ汗を素早く吸収し、且つ吸収体に吸収された体液が吸汗シートを伝って外部に漏れ出す不都合が発生し難い吸収性物品が提供される。
【図１】
2018116478.tif 000003
【図２】
2018116478.tif 000004
【図３】
2018116478.tif 000005
【図４】
2018116478.tif 000006
【図５】
2018116478.tif 000007
【図６】
2018116478.tif 000008
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
着用者の腹側から股間部を介して背側に延びる方向に相当する縦方向とこれに直交する横方向とを有し、液保持性の吸収体と、該吸収体よりも着用者の肌から遠い側に配され、横方向に伸縮性を有する伸縮シートとを具備し、着用時に着用者の肌と接触し得る部位に、汗を吸収可能な親水領域を有する吸汗シートが配された吸収性物品であって、
前記伸縮シートは、前記吸収体の縦方向端から縦方向外方に延出する外側延出部を有し、前記吸汗シートよりも着用者の肌から遠い側に、疎水シートが、該吸収体から該伸縮シートの外側延出部にかけて該吸収体の縦方向端を跨ぐように配されており、
前記吸汗シートの縦方向内方端は、前記疎水シートの縦方向内方端よりも縦方向外方に位置しており、該疎水シートは、平面視において前記吸汗シートと部分的に重なると共に、該吸汗シートの縦方向内方端から縦方向内方に延出する内側延出部を有し、
前記吸収性物品において、前記吸汗シートと縦方向において同位置にある領域を領域Ａ、前記疎水シートの内側延出部と縦方向において同位置にある領域を領域Ｂとした場合、該領域Ｂは該領域Ａに比して横方向の伸長応力が大きい吸収性物品。
【請求項２】
前記吸汗シートは、前記疎水シートの縦方向外方端から縦方向外方に延出する外側延出部を有している請求項１に記載の吸収性物品。
【請求項３】
前記吸汗シートは、該吸汗シートの外側延出部にて前記伸縮シートに接合されていると共に、該吸汗シートの外側延出部寄りの部分にて前記疎水シートに接合されている請求項２に記載の吸収性物品。
【請求項４】
前記領域Ａのうち、前記吸汗シートの外側延出部と縦方向において同位置にある領域を領域Ａ１、該領域Ａ１以外の領域を領域Ａ２とした場合、前記領域Ｂは該領域Ａ１に比して横方向の伸長応力が大きい請求項２又は３に記載の吸収性物品。
【請求項５】
横方向の伸長応力は、前記領域Ｂ、前記領域Ａ２、前記領域Ａ１の順で大きい請求項４に記載の吸収性物品。
【請求項６】
前記吸収体は前記伸縮シートの横方向中央部と重なり、該伸縮シートの横方向中央部は、横方向両側部に比して伸縮性が低い請求項１〜５の何れか１項に記載の吸収性物品。
【請求項７】
前記吸汗シートは、親水性繊維及び疎水性繊維を含んで構成されている請求項１〜６の何れか１項に記載の吸収性物品。
【請求項８】
前記吸汗シートは、着用者の肌に最も近い位置に配され、疎水性繊維を含んで構成された肌側疎水層と、該肌側疎水層の非肌対向面側に配され、親水性繊維を含んで構成された非肌側親水層とを含み、該肌側疎水層と該非肌側親水層とが複数個の融着部で接合されている請求項１〜７の何れか１項に記載の吸収性物品。
【請求項９】
前記吸汗シートは、該吸汗シートの肌対向面を形成する肌側疎水層と、該肌側疎水層の非肌対向面側に位置する非肌側親水層とを有し、両層どうしは、両層の面方向において分散配置された複数の接合部で接合されており、
前記接合部の周囲部では、前記非肌側親水層を構成する親水性繊維どうしの隙間に前記肌側疎水層を構成する疎水性繊維が入り込み、該肌側疎水層を構成する疎水性繊維どうしの隙間に該非肌側親水層を構成する親水性繊維が入り込んでおり、該非肌側親水層を構成する親水性繊維が該肌側疎水層の肌対向面に達している請求項１〜７の何れか１項に記載の吸収性物品。
【請求項１０】
前記吸汗シートは、着用者の肌に最も近い位置に配され、疎水性繊維を含んで構成された肌側疎水層を有し、
前記肌側疎水層の肌対向面に窪み部が形成され、該窪み部内に該肌側疎水層を厚み方向に貫通する開孔が形成されている請求項１〜９の何れか１項に記載の吸収性物品。
【請求項１１】
前記吸収性物品は、着用者の股間部に配される股下部と、該股下部の前後から縦方向に延出する腹側部及び背側部を有し、
前記吸汗シートは、少なくとも前記背側部に配されている請求項１〜１０の何れか１項に記載の吸収性物品。
【国際調査報告】
2018116478.tif 000009
2018116478.tif 000010